(57)【要約】      （修正有）【課題】原稿をコピーして付加情報を空白領域に印字する場合に、両面印刷設定時においても視認性の良い結果を得る。【解決手段】複数ページからなる原稿の全てのページの空白領域を検出する検出手段２０３と、前記検出手段により検出された各ページの空白領域で共通の空白領域を取得する取得手段２０４と、前記取得手段によって取得された共通の空白領域に指定された付加情報を描画する描画手段２０５と、ページ間で共通の空白領域を検出する際に、印刷設定に応じて表面と裏面で基準となる座標を変更して共通の空白領域を取得する。【選択図】図２
2011078045.tif 000002
【特許請求の範囲】
【請求項１】
複数ページからなる原稿の全てのページの空白領域を検出する検出手段（２０３）と、
前記検出手段により検出された各ページの空白領域で共通の空白領域を取得する取得手段（２０４）と、
前記取得手段によって取得された共通の空白領域に指定された付加情報を描画する描画手段（２０５）と、
前記取得手段で共通の空白領域を算出する際に、印刷設定に応じてページ毎に基準となる座標を変更する（Ｓ３０８、Ｓ３０９）ことを特徴とする画像処理装置。
【請求項２】
前記取得手段で取得された共通の空白領域において、とじ位置とは異なる空白領域を優先的に付加情報の印字位置として決定する決定手段（Ｓ３１５）をさらに有することを特徴とする前記請求項１記載の画像処理装置。
【発明の詳細な説明】
【技術分野】
【０００１】
本発明は、コピー対象の画像に付加情報を印字するための画像処理装置に関する。
【背景技術】
【０００２】
原稿をコピーする場合に、ページ番号や日付等の付加情報をページの四隅、上部、下部などの位置に同時に印字することがある。通常、ページ番号・日付等の付加情報は、操作部上で指示した特定の位置（左上・右上など）に印字される。しかしながら、原稿のコンテンツの描画データによっては、付加情報と重なって印字されてしまうことがある。コピー機能を実現する複合機によっては、付加情報の印字位置を微調整してコンテンツと重ならないようにすることも可能だが、一度印刷した後で再調整する必要があるため、無駄な印刷が発生する上、何度も印刷するのはわずらわしい。
【０００３】
従来から空白領域を検出し、検出された共通の空白領域に付加情報を印字する技術が開示されている。（例えば、特許文献１参照。）
【先行技術文献】
【特許文献】
【０００４】
【特許文献１】特開２００７−２２１２８２号公報
【発明の概要】
【発明が解決しようとする課題】
【０００５】
図１１は従来技術によって、検出されたページ間で共通の空白領域に付加情報を印字した結果を示したものである。図１１において、付加情報Ａが各ページで同じ描画位置に付加情報が印字されている。片面印刷であれば、ページを見開いた場合でも視認性がよい。しかしながら、両面印刷の場合に、ページを見開いた際に確認できる付加情報の位置が必ずしも最良の結果とならないという課題があった。
【課題を解決するための手段】
【０００６】
複数ページからなる原稿の全てのページの空白領域を検出する検出手段（２０３）と、
前記検出手段により検出された各ページの空白領域で共通の空白領域を取得する取得手段（２０４）と、
前記取得手段によって取得された共通の空白領域に指定された付加情報を描画する描画手段（２０５）と、
前記取得手段で共通の空白領域を算出する際に、印刷設定に応じてページ毎に基準となる座標を変更する（Ｓ３０８、Ｓ３０９）ことを特徴とする画像処理装置。
【発明の効果】
【０００７】
文書中の描画データの邪魔をすることなく、付加情報を印字することができ、かつ両面印刷時にも視認性に優れた結果が得られる。
【図面の簡単な説明】
【０００８】
【図１】画像処理装置の構成図
【図２】画像処理装置のソフトウェア構成図
【図３】画像処理装置の付加情報印字処理のフローチャート
【図４】付加情報印字処理の対象となる原稿画像の一例
【図５】空白領域検出結果の一例
【図６】共通の空白領域検出結果の一例
【図７】本実施例における付加情報印字結果の一例
【図８】空白領域検出結果の一例
【図９】共通の空白領域検出結果の一例
【図１０】本実施例における付加情報印字結果の一例
【図１１】従来技術における付加情報印字結果の一例
【発明を実施するための形態】
【０００９】
以下、本発明を実施するための最良の形態について図面を用いて説明する。
【実施例１】
【００１０】
本発明に係る画像処理装置の一実施形態について説明する。図１は画像処理装置１５０の構成例を示している。画像処理装置１５０は、システム制御部１００、スキャナ部６、印刷部８、操作部９、外部メモリ１１で構成されている。画像処理装置１５０は、原稿を読み取って、記録紙上に複写するコピー機能を備える。さらに、原稿を複写する際に、日付やページ数などの付加情報を印字する機能を備える。
【００１１】
スキャナ部６は、ＡＤＦ（オートドキュメントフィーダ）などに置かれた原稿を光学的に読み取って、画像データに変換する。印刷部８は、電子写真プロセスを用いたレーザプリンタとして構成され、スキャン部６で読み取った画像を記録紙に印字する。操作部９は、液晶パネル等の表示装置や操作ボタンやタッチパネルなどで構成される。操作部９においてはコピー機能の設定状態や画像処理装置１５０の状態等を表示し、タッチパネル等により設定の変更が可能である。システム制御部１００は、制御プログラム等に基づいてテムバス４に接続されるスキャナ部６で読み取られたデータを、印刷部（プリンタエンジン）８に出力情報としての画像信号を出力する。システム制御部１００において、コピー機能を実現する制御プログラムは、ＲＯＭ３または外部メモリ１１に格納されおり、ＲＡＭ２に読み出されて、ＣＰＵ１によって実行される。
【００１２】
なお、特に断らない限り、本発明の機能が実行されるのであれば、単体の機器であっても、複数の機器からなるシステムであっても、本発明を適用できることは言うまでもない。また、特に断らない限り、本発明の機能が実行されるのであれば、ＬＡＮ，ＷＡＮ等のネットワークを介して接続が為され処理が行われるシステムであっても本発明を適用できることは言うまでもない。
【００１３】
図２は、画像処理装置１５０のコピー機能において、付加情報を印字する機能を実現する制御プログラムの構成図である。本制御プログラムは、画像読取部２０１、制御部２０２、空白領域検出部２０３、共通空白領域検出部２０４、付加描画部２０５、印刷処理部２０６で構成される。
【００１４】
本実施例における付加情報印字処理について図３のフローチャートを用いて説明する。なお、図３のフローチャートに係る制御プログラムは、ＲＯＭ３または外部メモリ１１に格納されており、ＲＡＭ２に読み出され、ＣＰＵ１によって実行される。ここでは、一例として図４に示すような３ページで構成された原稿データを両面で複写して、さらに付加情報として日付を印字する際の処理について説明する。付加情報印字処理は、ユーザが操作部９にて指示することに応じて実行される。
Ｓ３０１のステップで、制御部２０２が画像読取部２０１を介して、スキャナ部６にセットされた原稿の全てのページをスキャンし、画像データを取得する。Ｓ３０２で空白領域検出部２０３が制御部２０２を介してＳ３０１のステップで取得した１ページ目の画像データを取得する。次に、空白領域検出部２０３が、Ｓ３０３のステップで前記Ｓ３０２のステップで取得した画像データの空白領域を検出する。すると、図５の１ページ目の画像の網掛け部分に示すような空白領域が検出される。Ｓ３０４のステップでは、空白領域検出部２０３が、前記Ｓ３０３のステップで検出された空白領域情報をＲＡＭ２または、外部メモリ１１等に一旦格納する。Ｓ３０５のステップでは、制御部２０２が前記Ｓ３０１でスキャンした原稿が２ページ以上か否かを判断し、２ページ以上と判断された場合、Ｓ３０６のステップに進む。一方、１ページと判断された場合には、Ｓ３１５のステップに進む。
【００１５】
Ｓ３０６のステップでは、空白領域検出部２０３が制御部２０２を介して前記Ｓ３０１のステップで取得した次のページの画像データを取得する。次に、Ｓ３０７のステップで、空白領域検出部２０３が前記Ｓ３０６のステップで取得した画像データの空白領域を検出し、Ｓ３０８のステップに進む。Ｓ３０８のステップでは、共通空白領域検出部２０４が、操作部９で指示された両面印刷設定を判断し、両面設定が有効であれば、Ｓ３０９のステップに進み、両面が無効であれば、Ｓ３１０のステップに進む。Ｓ３０９のステップでは、共通空白領域検出部２０４が、操作部９で指示された両面印刷のとじ位置を判断する。前記Ｓ３０９のステップにて、左とじもしくは右とじと判断された場合には、Ｓ３１１のステップに進む。Ｓ３１１のステップでは、共通空白領域検出部２０４が、表面に印字される画像データと裏面に印字される画像データで、原点の位置を左右対称にした上で、各ページ共通の空白領域を検出する。図５に示すように、表面となる１ページ目と３ページ目では左上を原点とし、裏面となる２ページ目では右上を原点とする。Ｓ３１１のステップで共通空白領域検出部２０４が各ページ共通の空白領域を検出した結果、図６の網掛け部分で示すような共通の空白領域Ａ、Ｂ，Ｃが得られる。
【００１６】
一方、前記Ｓ３０９において、上とじもしくは下とじと判断された場合、Ｓ３１２のステップに進む。Ｓ３１２のステップでは、共通空白領域検出部２０４が、表面に印字される画像データと裏面に印字される画像データで、原点の位置を上下対称にした上で、各ページ共通の空白領域を検出する。図８に示すように、表面となる１ページ目と３ページ目では左上を原点とし、裏面となる２ページ目では左下を原点とする。Ｓ３１２のステップで共通空白領域検出部２０４が各ページ共通の空白領域を検出した結果、図９の網掛け部分で示すような共通の空白領域Ａ？、Ｂ？が得られる。
【００１７】
また、前記Ｓ３０８のステップで両面設定が無効と判断された場合は、Ｓ３１０のステップに進み、全てのページにおいて同じ原点で共通の空白領域を検出する。
【００１８】
Ｓ３１３のステップでは共通空白領域検出部２０４が前記Ｓ３１０、Ｓ３１１、Ｓ３１２の各ステップにて検出された共通の空白領域情報をＲＡＭ２に一旦格納する。次にＳ３１４のステップでは、制御部２０２が現在のページが最後のページか否かを判断する。前記Ｓ３１４のステップにて、最後のページである判断された場合には、Ｓ３１５のステップに進み、最後のページでないと判断された場合には、Ｓ３０６のステップに戻り、再びＳ３０６からＳ３１４の処理を繰り返す。
【００１９】
Ｓ３１５のステップにおいては、共通空白領域検出部２０４がとじ位置とは反対側の領域を優先的に付加情報の印字位置を決定する。次にＳ３１６のステップでは、付加描画部２０５が前記Ｓ３１５のステップにて決定した印字位置に、付加情報を描画する。さらに、Ｓ３１７のステップで印刷処理部２０６が前記Ｓ３１６のステップで付加情報を描画した後の画像の印刷を実行する。本実施例において、操作部９にて両面印刷で左とじが指示されている場合の印字結果を図７に示す。図６の共通の空白領域Ａ、Ｂ、Ｃのうちとじ位置とは反対側の共通の空白領域Ｂに日付が印字される結果となる。また、操作部９にて両面印刷で上とじが指示されている場合の印字結果を図１０に示す。図９の共通の空白領域Ａ’、Ｂ’のうち、とじ位置とは反対側の共通の空白領域Ｂ’に日付が印字される結果となる。
【００２０】
以上の処理により、両面印刷時に表面と裏面で対称となる原点を元に検出された共通の空白領域に付加情報を印字することで、印字結果を見開いた際の付加情報の視認性に優れた結果を得ることができる。
【図１】
2011078045.tif 000003
【図２】
2011078045.tif 000004
【図３】
2011078045.tif 000005
【図４】
2011078045.tif 000006
【図５】
2011078045.tif 000007
【図６】
2011078045.tif 000008
【図７】
2011078045.tif 000009
【図８】
2011078045.tif 000010
【図９】
2011078045.tif 000011
【図１０】
2011078045.tif 000012
【図１１】
2011078045.tif 000013